(57)【要約】【課題】使用者が特別な操作をすることことなく、扉閉鎖時に有効な換気通路を確保するとともに、扉開放時に使用者の指先等が挟まれることを防止する。【解決手段】扉１の底部に設けられ、床面４に対して第１の間隙Ｇ１をもって対峙する上昇位置と、床面に対して第１の間隙よりも小さい第２の間隙Ｇ２をもって対峙または当該床面に接する下降位置との間を移動可能なシャッタ部材６と、扉が閉鎖される際に、扉枠１５と係合することによりシャッタ部材を上昇位置に移動させる駆動機構とを備えた構成とする。【選択図】図２
2010185172.tif 000002
【特許請求の範囲】
【請求項１】
扉の底部に設けられ、床面に対して上方に離間する上昇位置と、前記床面に対して接近または当接する下降位置との間を移動可能なシャッタ部材と、
前記扉が閉鎖される際に、扉枠と係合することにより前記シャッタ部材を前記上昇位置に移動させる駆動機構と
を備えたことを特徴とする扉の安全装置。
【請求項２】
前記駆動機構は、前記扉の開閉時に前記扉枠と係合することにより回転する回転部材と、当該回転部材と前記シャッタ部材との間に介装され、前記回転部材の回転運動を前記シャッタ部材の昇降運動に変換する動力伝達部材とを有することを特徴とする、請求項１に記載の扉の安全装置。
【請求項３】
前記動力伝達部材は、前記回転部材に固着された伝達軸であり、当該伝達軸は、前記扉の幅方向に平行に延在して当該扉に回転自在に支持された軸部と、当該軸部から径方向に突設されて前記シャッタ部材に係合する駆動部とを有することを特徴とする、請求項２に記載の扉の安全装置。
【請求項４】
前記駆動機構は、前記扉の開閉時に前記扉枠と係合することにより直線運動する直動部材と、当該直動部材と前記シャッタ部材との間に介装され、前記直動部材の直線運動を前記シャッタ部材の昇降移動に変換する動力伝達部材とを有することを特徴とする、請求項１に記載の扉の安全装置。
【請求項５】
前記動力伝達部材は、前記直動部材に固着された直動桿と、当該直動桿と前記シャッタ部材との間に形成されたカム機構とを有することを特徴とする、請求項４に記載の扉の安全装置。
【発明の詳細な説明】
【技術分野】
【０００１】
本発明は、扉と床面との間に指先等が挟まれることを防止する安全装置に関する。
【背景技術】
【０００２】
従来、シックハウス対策として有効な換気通路を確保するために、居室等の扉にアンダーカットを設けた（すなわち、扉と床面との間に１０ｍｍ程度の隙間を設けた）家屋が普及している。しかし、特に幼児等の場合には、大人に比べて注意力に劣り、手足も小さいため、扉を開閉する際に手足の指等が扉と床面との隙間に挟まれる可能性がある。そこで、幼児がいる家庭の安全対策として、扉の下端縁部に沿って軟質の凸脈部を有するカバー部材を設けた扉が開発されている（特許文献１参照）。
【先行技術文献】
【特許文献】
【０００３】
【特許文献１】特開２００７−９６４６号公報
【発明の概要】
【発明が解決しようとする課題】
【０００４】
しかしながら、上記特許文献１に記載された従来技術では、扉の下端縁部に常時カバー部材を取り付けておく必要があるため、有効な換気通路を確保することができず、また、見栄えも悪いという問題があった。カバー部材を状況に応じて着脱することも考えられるが、ユーザは、その都度面倒な作業を強いられるという問題があった。
【０００５】
本発明は、このような従来技術の課題を鑑みて案出されたものであり、使用者が特別な操作をすることことなく、扉閉鎖時に有効な換気通路を確保するとともに、扉開放時に使用者の指先等が挟まれることを防止する扉の安全装置を提供することを目的とする。
【課題を解決するための手段】
【０００６】
上記課題を解決するためになされた第１の発明は、扉（１）の底部に設けられ、床面（４）に対して上方に離間する上昇位置と、前記床面に対して接近または当接する下降位置との間を移動可能なシャッタ部材（６）と、前記扉が閉鎖される際に、扉枠（１５）と係合することにより前記シャッタ部材を前記上昇位置に移動させる駆動機構とを備えた構成とする。
【０００７】
また、第２の発明として、前記駆動機構は、前記扉の開閉時に前記扉枠と係合することにより回転する回転部材（８）と、当該回転部材と前記シャッタ部材との間に介装され、前記回転部材の回転運動を前記シャッタ部材の昇降運動に変換する動力伝達部材とを有する構成とすることができる。
【０００８】
また、第３の発明として、前記動力伝達部材は、前記回転部材に固着された伝達軸（７）であり、当該伝達軸は、前記扉の幅方向に平行に延在して当該扉に回転自在に支持された軸部（７ａ）と、当該軸部から径方向に突設されて前記シャッタ部材に係合する駆動部（７ｂ）とを有する構成とすることができる。
【０００９】
また、第４の発明として、前記駆動機構は、前記扉の開閉時に前記扉枠と係合することにより直線運動する直動部材（３２）と、当該直動部材と前記シャッタ部材との間に介装され、前記直動部材の直線運動を前記シャッタ部材の昇降移動に変換する動力伝達部材とを有する構成とすることができる。
【００１０】
また、第５の発明として、前記動力伝達部材は、前記直動部材に固着された直動桿（３１）と、当該直動桿と前記シャッタ部材との間に形成されたカム機構（４２，４３）とを有する構成とすることができる。
【発明の効果】
【００１１】
上記第１の発明によれば、駆動機構が、扉枠との係合によりシャッタ部材を上昇位置に移動させるための駆動力を生じさせる構成としたため、使用者が特別な操作をすることことなく、扉閉鎖時に有効な換気通路を確保するとともに、扉開放時に使用者の指先等が挟まれることを防止することができるという優れた効果を奏する。また、上記第２の発明によれば、扉枠と係合することにより回転する回転部材と、その回転運動をシャッタ部材の昇降運動に変換する動力伝達部材とを用いることで、シャッタ部材を上昇位置に移動させるための駆動力を容易に生じさせることができる。上記第３の発明によれば、伝達軸を用いた簡易な構成により、シャッタ部材を上昇位置に移動させるための駆動力を生じさせることができる。上記第４の発明によれば、扉枠と係合することにより直線運動する直動部材と、その直線運動をシャッタ部材の昇降運動に変換する動力伝達部材とを用いることで、シャッタ部材を上昇位置に移動させるための駆動力を容易に生じさせることができる。上記第５の発明によれば、直動桿およびカム機構を用いた簡易な構成により、シャッタ部材を上昇位置に移動させるための駆動力を生じさせることができる。
【図面の簡単な説明】
【００１２】
【図１】第１実施形態に係る安全装置が設置された扉の正面図
【図２】第１実施形態に係る扉の安全装置の要部斜視図
【図３】第１実施形態に係る扉閉鎖時の安全装置を示す側面図
【図４】第１実施形態に係る扉開放時の安全装置を示す側面図
【図５】第１実施形態に係る扉の安全装置の動作説明図
【図６】第１実施形態に係る扉の安全装置の動作説明図
【図７】第１実施形態に係る扉の安全装置の動作説明図
【図８】第１実施形態に係る扉の安全装置の変形例を示す斜視図
【図９】第２実施形態に係る扉閉鎖時の安全装置を示す正面図
【図１０】第２実施形態に係る扉開放時の安全装置を示す正面図
【図１１】第２実施形態に係る扉閉鎖時の安全装置を示す要部側面図
【図１２】第２実施形態に係る扉の安全装置のカム機構を示す斜視図
【図１３】第２実施形態に係る直動桿の支持構造を示す斜視図
【図１４】第２実施形態に係る直動桿の支持構造を示す斜視図
【図１５】第２実施形態に係る扉の安全装置の取付構造を示す斜視図
【発明を実施するための形態】
【００１３】
以下、本発明の第１実施形態にかかる安全装置について図１〜図８を参照しながら説明する。以下では、特に断り書きのない限り、方向を示す用語「上」，「下」，「左」，「右」は、図１に示す扉１を基準に定めるものとする。また、用語「前」，「後」は、図１の紙面手前側および紙面奥側にそれぞれ相当するものとする。
【００１４】
図１に示すように、扉１は、ノブ２の操作により上下のヒンジ３を支点として開閉可能に設けられており、その底部には、扉１の下端と床面４との間に使用者の指先等が挟まれることを防止するための安全装置５が設けられている。安全装置５は、図２に示すように、扉１と床面４との間を上下移動可能なシャッタ部材６と、シャッタ部材６が取り付けられるクランク軸（屈曲軸）７と、クランク軸７の左端に取り付けられたカムレバー８とを有する。
【００１５】
シャッタ部材６は、略方形の断面を有する樹脂製の筒状部材であり、扉１の開閉状態に応じて、床面４に対し第１の間隙Ｇ１（例えば、１０ｍｍ）をもって対峙する上昇位置（図３参照）と、床面４に対し第１の間隙Ｇ１よりも小さい第２の間隙Ｇ２（例えば、５ｍｍ以下）をもって対峙する下降位置（図４参照）との間で移動可能である。本実施形態において、第１の間隙Ｇ１は、扉１と床面４との距離に設定されており、扉１と床面４との間に有効な換気通路が確保される。また、第２の間隙Ｇ２は、扉１と床面４との間に使用者の指先等が挟まれることを防止できる大きさに設定されているが、場合によっては、ゼロ（すなわち、シャッタ部材６と床面４とが接した状態）でもよい。
【００１６】
クランク軸７は、金属製の丸棒によって形成され、扉１の左右（幅）方向に平行に延在する軸部７ａと、軸部７ａから径方向に突設された略コ字状の屈曲部（駆動部）７ｂとを有している。シャッタ部材６の上壁には、クリップ１１が取付られており、クリップ１１の環状部１１ａには、クランク軸７の屈曲部７ｂが挿通されている。また、クランク軸７の左右端は、それぞれ左支持部材１２および左支持部材１３によって回転可能に支持されている。図３，図４に示すように、扉１の底部には、安全装置５を収容する収容溝１４が設けられており、両支持部材１２,１３は、それぞれ収容溝１４の左右の開口に嵌装される。
【００１７】
カムレバー８は、図５に示すように、扉１の左側部（自由端側）から露出するとともに、扉１が閉じられた際に扉枠１５に設けられたガイド部材１６と係合する先細り状のテーパ部８ａを有している。また、カムレバー８は、その取付穴８ｂにクランク軸７の左端が嵌入されることで、クランク軸７に対して固着されている。これにより、クランク軸７はカムレバー８とともに回転運動する。カムレバー８が回転すると、クリップ１１に挿通された屈曲部７ｂの先端側が実質的に上方または下方に移動し、これにより、カムレバー８の回転運動がシャッタ部材６の昇降運動に変換される。
【００１８】
次に、図５〜図７を参照して、上記安全装置５の一連の動作を説明する。図５に示すように、扉１が開いている場合には、カムレバー８とガイド部材１６とは互いに非係合状態にある。このとき、図４にも示すように、クランク軸７の屈曲部７ｂは、シャッタ部材６の重量により下方に引き下げられ、シャッタ部材６は下降位置に保持される。その後、図６に示すように、扉１が閉まりかけて扉１の一部が扉枠１５内に入り込んだ状態となると、カムレバー８が、扉枠１５の右側部（扉１に対峙する側部）に設置されたガイド部材１６のガイド溝１７の内側に案内される。さらに、図７に示すように、扉１が完全に閉じると、カムレバー８の下側に向けられていたテーパ部８ａがガイド溝１７のガイド面１７ａに案内され、これにより、カムレバー８が前方に回動する。このカムレバー８の動きに連動してクランク軸７が回動し、図３にも示すように、その屈曲部７ｂが、シャッタ部材６をその重量に抗して上昇位置まで引き上げる。なお、ガイド面１７ａの前端側は、傾斜が急になっており、これにより、扉１の開放直後にカムレバー８が速やかに回動してシャッタ部材６が下降位置に移動する。
【００１９】
上記第１実施形態にかかる安全装置５では、カムレバー８を扉枠１５と係合させることにより、シャッタ部材６を上昇位置に移動させるための駆動力を生じさせる構成としたため、使用者が特別な操作をすることことなく、扉閉鎖時に有効な換気通路を確保するとともに、扉開放時に使用者の指先等が挟まれることを防止することができる。
【００２０】
また、扉閉鎖時には、シャッタ部材６を含めた安全装置５の略全体が扉１の収容溝１４に収容されて扉１の意匠面の裏側に隠れるため、扉１の美的外観を損なうことがないという利点もある。
【００２１】
なお、扉１が閉じられる際に扉枠１５との係合によりシャッタ部材６を上昇に移動させる構成は、上述のものに限らず、種々の変更が可能である。例えば、上述のカムレバー８およびガイド部材１６の変形例として、図８に示すように、カムレバー８を扉１の左側部に設けた凹部２１内に配置するとともに、このカムレバー８を回動させるためのガイド突起２２を扉枠１５の右側部に突設した構成も可能である。これによれば、扉１の左側部からカムレバー８が突出することがないという利点がある。
【００２２】
次に、図９〜図１５を参照して、第２実施形態に係る安全装置について説明する。なお、図９〜図１５において、上述の第１実施形態と同様の構成要素については同一の符号を付し、重複する記載は省略する。
【００２３】
図９〜図１１に示すように、安全装置５は、扉１と床面４との間を上下移動可能なシャッタ部材６と、シャッタ部材６が取り付けられる直動桿３１と、直動桿３１の左端に取り付けられたプッシュブロック３２と、扉１の収容溝１４に嵌装されるハウジング３３とを有する。
【００２４】
シャッタ部材６は、図１１に示すように、略凹形の断面を有する樹脂製の筒状部材であり、扉１の開閉状態に応じて、床面４に対し第１の間隙Ｇ１をもって対峙する上昇位置（図９参照）と、床面４に対し第１の間隙Ｇ１よりも小さい第２の間隙Ｇ２をもって対峙する下降位置（図１０参照）との間で移動可能である。また、シャッタ部材６の下端の前後には、その長手方向に沿って弾性に富む部材（例えば、ウレタン樹脂）からなる弾性バー３５が取り付けられている。
【００２５】
両弾性バー３５は、シャッタ部材６が上昇位置にある場合に、シャッタ部材６の下端側方と扉１下面１ａとの間に生じるスペースを塞ぐように配置されている。より詳細には、両弾性バー３５は、シャッタ部材６が上昇位置にある場合に、その上面３５ａが、扉１下面１ａに略接した状態となるとともに、その側面３５ｂが、扉１の前面１ｂおよび後面１ｃを下方に延長した平面上に位置する（すなわち、両弾性バー３５は扉１の前後にはみ出さない。）。また、図９，図１０に示すように、両弾性バー３５は、シャッタ部材６の左方向（右方向も同様）に突出するように、その左方向の長さがシャッタ部材６よりも長く設定されている。これにより、シャッタ部材６の下端側方と扉１下面１ａとの間に生じるスペースが、扉１の幅方向全域にわたって塞がれることとなり、指先等の挟み込みに対する扉１の安全性がより高まる。
【００２６】
直動桿３１は、金属性の板材によって構成され、図１１に示すように、その上部が後方に折り曲げられるとともに、その下部が凹形のシャッタ部材６の上部の溝３８内に挿入された状態で配置される。また、直動桿３１の左右端は、図１３，図１４に示すように、それぞれ左支持部材４０および右支持部材４１によって左右方向に直線移動可能に支持されている。両支持部材４０，４１は、それぞれ収容溝１４（図１１参照）の左右の開口に嵌装される。図１５に示すように、右支持部材４１の前面（後面も同様）には、ハウジング３３の開口５０に係止される係止爪５１と、ハウジング３３の切欠き部３４に嵌入される略三角形状の係止片５２が設けられている。このような構造により、両支持部材４０，４１のハウジング３３に対する相対移動が規制され、扉１の収容溝１４内に安定的に保持される。
【００２７】
なお、左支持部材４０の右縁部および右支持部材４１の左縁部は、シャッタ部材６の左右の縁部にそれぞれ摺接した状態にあり、これにより、シャッタ部材６の左右方向の動きが規制される。また、図１４に示す右支持部材４１には、直動桿３１の右端部に接続されて直動桿３１左方向に付勢する圧縮ばね（図示せず）が内蔵されている。
【００２８】
また、図１２にも示すように、直動桿３１には、左上から右下に傾斜したカム穴４２が設けられており、このカム穴４２には、カムピン４３が前後方向に挿通されている。カムピン４３の両端は、シャッタ部材６の溝３８の両側に位置する突設部６ａにそれぞれ固定されている。
【００２９】
プッシュブロック３２は、図１３に示すように、扉１（左支持部材４０）の左側部から露出するように設けられており、扉１が閉じられた際に扉枠１５（図１参照）の右側部と係合する。プッシュブロック３２は、一般の扉の錠前に出没自在に設けられるドアラッチと同様に、その背面側（扉枠１５側）に傾斜面３２ａを有する形状を呈している。また、プッシュブロック３２は、その右端に設けられた取付穴（図示せず）に直動桿３１の左端部が嵌入されることで、直動桿３１に対して固着されている。これにより、直動桿３１の動作は、プッシュブロック３２の左右方向の直線運動に連動する。プッシュブロック３２（すなわち、直動桿３１に設けられたカム穴４２）が左右に移動すると、カム穴４２とカムピン４３との係合位置が変化し、プッシュブロック３２の直線運動がシャッタ部材６の昇降運動に変換される。
【００３０】
次に、図９，図１０を参照して、上記安全装置５の一連の動作を説明する。図１０に示すように、扉１が開いている場合には、プッシュブロック３２と扉枠１５とは互いに非係合状態にある。このとき、カムピン４３は、シャッタ部材６の重量により下方に引き下げられてカム穴４２内の右下端に位置し、シャッタ部材６は下降位置に保持される。その後、図９に示すように、扉１が完全に閉じると、プッシュブロック３２が扉枠１５により右方向に押圧され、これにより、圧縮ばねの付勢に抗して直動桿３１（すなわち、カム穴４２）が右方向に移動する。このとき、カム穴４２内の右下端に位置していたカムピン４３が左上側に移動し、これにより、シャッタ部材６がその重量に抗して上昇位置まで引き上げられる。
【００３１】
上記第２実施形態にかかる安全装置５では、プッシュブロック３２を扉枠１５と係合させることにより、シャッタ部材６を上昇位置に移動させるための駆動力を生じさせる構成としたため、使用者が特別な操作をすることことなく、扉閉鎖時に有効な換気通路を確保するとともに、扉開放時に使用者の指先等が挟まれることを防止することができる。また、プッシュブロック３２の直線運動を、直動桿３１とシャッタ部材６との間に介装したカム機構（カム穴４２，カムピン４３）によりシャッタ部材の昇降移動に変換する構成としたため、上述のカムレバー８およびクランク軸７を用いた場合に比べて、駆動力が小さくて済むという利点もある。
【００３２】
本発明を特定の実施形態に基づいて詳細に説明したが、上記実施形態はあくまでも例示であって本発明はこれらの実施形態によって限定されるものではない。クランク軸に設けられる駆動部は、クランク軸の回転運動をシャッタ部材の昇降運動に変換可能な限りにおいて、種々の変更が可能であり、例えば、駆動部を軸部とは別体の部材として設ける構成も可能である。また、第２実施形態においてシャッタ部材に付設した弾性バーは、第１実施形態におけるシャッタ部材に同様に適用することが可能である。
【符号の説明】
【００３３】
１  扉
４  床面
５  安全装置
６  シャッタ部材
７  クランク軸
７ａ  軸部
７ｂ  屈曲部
８  カムレバー
１２  右支持部材
１４  収容溝
１５  扉枠
１６  ガイド部材
１７  ガイド溝
１７ａ  ガイド面
３１  直動桿
３２  プッシュブロック
３３  ハウジング
３５  弾性バー
４０  左支持部材
４１  右支持部材
４２  カム穴
４３  カムピン
Ｇ１  第１の間隙
Ｇ２  第２の間隙
【図１】
2010185172.tif 000003
【図２】
2010185172.tif 000004
【図３】
2010185172.tif 000005
【図４】
2010185172.tif 000006
【図５】
2010185172.tif 000007
【図６】
2010185172.tif 000008
【図７】
2010185172.tif 000009
【図８】
2010185172.tif 000010
【図９】
2010185172.tif 000011
【図１０】
2010185172.tif 000012
【図１１】
2010185172.tif 000013
【図１２】
2010185172.tif 000014
【図１３】
2010185172.tif 000015
【図１４】
2010185172.tif 000016
【図１５】
2010185172.tif 000017